(57)【特許請求の範囲】
【請求項１】
円柱状に形成され、その一方の側方端面に回転接点板が共回り可能に固着され、上記円柱状の外周面を操作されて回転操作される操作つまみと、この円柱状操作つまみを内部に収容する大きさの四角形状の枠体によって構成され、上記円柱状操作つまみの両側の側方端面に応じて位置する平行な縦枠部分に、内側方向に向かって突出する細径支持軸および支持軸を有し、上記細径支持軸が上記円柱状操作つまみの一方の側方端面に固着された上記回転接点板の中心の丸小孔に、また上記支持軸が上記円柱状操作つまみの他方の側方端面の中心位置に設けられた丸孔に同一軸線上で挿入嵌合されることによって上記円柱状操作つまみを両側の側方端面の外側から回転可能に支持する回動体と、上記回動体の縦枠部分の外面側に位置された壁部の円形支持孔に、上記回動体の縦枠部分の外面側に外方に向けてそれぞれ突出形成された突部が係合されて上記円柱状操作つまみと回動体を一体状態で回動可能に支持すると共に、上記回動体の支持部から離れた位置に、回動体の回動時にこの回動体に設けられた弾性を有する操作部位で押圧動作される押圧操作型部品部が配設された基台部と、この基台部に固定され、一端が上記回転接点板に弾接して電気信号を発生させる弾性接点脚で他端が発生した電気信号を外部に導出する端子となった接点体からなり、上記回動体の回動に伴い上記弾性を有する操作部位で上記押圧操作型部品部が押圧され、その押圧操作型部品部の動作後に上記回動体に設けた突起が上記基台部の上面に当接して停止される構成とした押圧・回転操作型電子部品。
【請求項２】
回動体と基台部の間に、両者を離間する方向に付勢するばね体を配設した請求項１記載の押圧・回転操作型電子部品。
【請求項３】
回動体の両端支持部間の中点位置の側方に上記押圧操作型部品部を配設した請求項１記載の押圧・回転操作型電子部品。
【請求項４】
回転操作型部品部が回転型エンコーダで、押圧操作型部品部がプッシュオンスイッチである請求項１記載の押圧・回転操作型電子部品。
【請求項５】
円柱状操作つまみの端面または回転接点板に放射状に設けた凹凸部に対し、回動体に保持された弾性体のダボ部を弾接させることにより、上記円柱状操作つまみが節度感を伴って回転し、上記ダボ部が凹部にはまり込んだ位置で出力信号がＯＦＦとなる請求項１記載の押圧・回転操作型電子部品。
【請求項６】
基台部に固定された弾性接点脚が回転接点板に弾接する位置を、上記回転接点板の中心と回動体の回動運動の中心である回動軸とを結ぶ線上とした請求項５記載の押圧・回転操作型電子部品。
【請求項７】
基台部に固定された弾性接点脚が回転接点板に弾接する位置を、上記回転接点板の中心を通る、回転接点板の中心と回動体の回動運動の中心である回動軸を結ぶ線の垂線上とした請求項５記載の押圧・回転操作型電子部品。
【請求項８】
回動体を金属材料で形成し、その回動体に、基台部に固定されてアース用端子と導通した弾性接点を弾接させた構成とし、円柱状操作つまみの周囲全周位置に亘ってアースが取れる構成とした請求項１記載の押圧・回転操作型電子部品。
【発明の詳細な説明】
【０００１】
【発明の属する技術分野】
本発明は主として携帯電話等の通信端末機器に使用され、機器の操作面から突出した円柱状操作つまみの外周の一部を接線方向に回転操作および回転中心に向けて押すことにより操作される押圧・回転操作型電子部品に関するものである。
【０００２】
【従来の技術】
従来のこの種の押圧・回転操作型電子部品としては、図１２の外観斜視図に示すようなプッシュオンスイッチ付回転型エンコーダが知られている。
【０００３】
このプッシュオンスイッチ付回転型エンコーダは図１２および図１３の同側面断面図に示すように、接点付取付基板１に回転操作型電子部品としての回転型エンコーダ部２と、同反対側の面に押圧操作型電子部品としてのプッシュオンスイッチ部３が配置され、回転型エンコーダ部２は一定の範囲で垂直方向（図１２および図１３に示す矢印Ｖ方向）に移動できるように、プッシュオンスイッチ部３は動かないように固定されている。
【０００４】
そして、接点付取付基板１は図１４の外観斜視図に示すように、平板状の樹脂体に回転型エンコーダ部２の移動用のガイドレール部４を有する窪み５と、プッシュオンスイッチ部３を固定するための窪み６および回転型エンコーダ部２の電気信号を外部へ伝達するための下方に突出した端子７を有する接点板８が設けられている。
【０００５】
回転型エンコーダ部２は、図１３の側面断面図に示すように、接点付取付基板１の窪み５にはめ込まれてガイドレール部４により一定の範囲で垂直方向（図１２および図１３に示す矢印Ｖ方向）に動き得るように保持された樹脂製のスライド接点体９と、このスライド接点体９の樹脂内にインサート成形により固定された弾性金属体１０から前方および後方に各々突出した弾性接点脚１１Ａ，１１Ｂと、スライド接点体９の中央に固定された円柱軸１２により回転可能に保持され、後面に弾性接点脚１１Ａが弾接する放射状可動接点板１３を有する樹脂製の回転体１４と、この回転体１４を回転操作できるように円柱軸１２を介して取り付けられた円形状操作つまみ１５とによって構成され、この回転型エンコーダ部２で発生した電気信号を導出するためにスライド接点体９から後方に突出した弾性接点脚１１Ｂが接点付取付基板１上の接点板８に弾接している。
【０００６】
また、スライド接点体９の下方端部から突出した板ばね１６は、接点付取付基板１の前面のピン状突起１７（図１４参照）に弾接することにより、通常状態において回転型エンコーダ部２がプッシュオンスイッチ部３から離れた位置にあるように付勢している。
【０００７】
プッシュオンスイッチ部３は、図１３に示すようにその操作ボタン１８が回転型エンコーダ部２の円柱軸１２の後方の押圧部１２Ａに当接するように、接点付取付基板１の回転型エンコーダ部２とは反対側の面の窪み６にはめ込まれて固定され、その電気信号を外部へ伝達するための端子１９が下方へ突出している。このプッシュオンスイッチ付回転型エンコーダは以上のように構成されたものであるが、使用機器である通信端末機器に装着される場合には図１５に示すように接点付取付基板１の下端取付面から突出した回転型エンコーダ部２の端子７、プッシュオンスイッチ部３の端子１９を機器の配線基板２０の取付孔２１，２２に挿入し半田付けすることによって装着され、円形操作つまみ１５の外周部１５Ａが操作部として機器の上ケースの操作面２３から突出するように取り付けられるものであった。
【０００８】
このように構成された従来のプッシュオンスイッチ付回転型エンコーダの動作は、まず、円形状操作つまみ１５の外周部１５Ａに接線方向（図１２に示す矢印Ｈ方向）の力を加えて円形状操作つまみ１５を回転させることにより回転体１４が円柱軸１２を中心として回転し、その後面の放射状接点板１３上をスライド接点体９に固定されている前方の弾性接点脚１１Ａが弾接摺動して回転型エンコーダ部２としての電気信号を発生し、この電気信号が弾性接点脚１１Ａから後方の弾性接点脚１１Ｂを経由して接点付取付基板１上の接点板８に伝わり、外部接続用の端子７を経て機器の配線基板２０の回路に伝達されるものである。
【０００９】
また、図１３および図１５に示すように、回転型エンコーダ部２を押し上げている板ばね１６の付勢力に逆らって円形状操作つまみ１５の外周部１５Ａに円形状操作つまみ１５の中心に向かう垂直下方（矢印Ｖ１方向）の押し力を加えて回転型エンコーダ部２全体を接点付取付基板１のガイドレール部４に沿って動かし、円柱軸１２の押圧部１２Ａで操作ボタン１８を押してプッシュオンスイッチ部３を動作させると、その電気信号は端子１９を経て機器の配線基板２０の回路に伝達され、また、円形状操作つまみ１５に加えていた押し力を除くと板ばね１６の弾性復元力によって回転型エンコーダ部２が押し戻されて元の状態に復帰するように構成されたものであった。
【００１０】
【発明が解決しようとする課題】
しかしながら上記従来の押圧・回転操作型電子部品においては、使用機器である通信端末機器に装着する場合、接点付取付基板１が上ケースの操作面２３から出ないようにしなければならないと共に、配線基板２０に取り付ける接点付取付基板１の取付面は円形状操作つまみ１５の外径よりも高くなっているため、機器の操作面２３から配線基板２０までの間を広くしなければならず、従って、機器の上ケースの操作面２３から下ケース裏面までの厚さが大きくなってしまうという課題があった。
【００１１】
また、回転型エンコーダ部２で発生した電気信号を伝えるためにスライド接点体９の弾性接点脚１１Ｂと接点付取付基板１の接点板８を経由する必要があり、弾性接点および摺動接触部が多いため組み立て時の取扱いや長期使用時の接触安定性維持に配慮を要するという課題もあった。
【００１２】
本発明はこのような従来の課題を解決するものであり、機器へ装着後のケースの高さ寸法を小さくできると共に操作性に優れ、長期使用時の接触信頼性も高い押圧・回転操作型電子部品を提供することを目的とする。
【００１３】
【課題を解決するための手段】
上記目的を達成するために本発明の押圧・回転操作型電子部品は、円柱状に形成され、その一方の側方端面に回転接点板が共回り可能に固着され、上記円柱状の外周面を操作されて回転操作される操作つまみと、この円柱状操作つまみを内部に収容する大きさの四角形状の枠体によって構成され、上記円柱状操作つまみの両側の側方端面に応じて位置する平行な縦枠部分に、内側方向に向かって突出する細径支持軸および支持軸を有し、上記細径支持軸が上記円柱状操作つまみの一方の側方端面に固着された上記回転接点板の中心の丸小孔に、また上記支持軸が上記円柱状操作つまみの他方の側方端面の中心位置に設けられた丸孔に同一軸線上で挿入嵌合されることによって上記円柱状操作つまみを両側の側方端面の外側から回転可能に支持する回動体と、上記回動体の縦枠部分の外面側に位置された壁部の円形支持孔に、上記回動体の縦枠部分の外面側に外方に向けてそれぞれ突出形成された突部が係合されて上記円柱状操作つまみと回動体を一体状態で回動可能に支持すると共に、上記回動体の支持部から離れた位置に、回動体の回動時にこの回動体に設けられた弾性を有する操作部位で押圧動作される押圧操作型部品部が配設された基台部と、この基台部に固定され、一端が上記回転接点板に弾接して電気信号を発生させる弾性接点脚で他端が発生した電気信号を外部に導出する端子となった接点体からなり、上記回動体の回動に伴い上記弾性を有する操作部位で上記押圧操作型部品部が押圧され、その押圧操作型部品部の動作後に上記回動体に設けた突起が上記基台部の上面に当接して停止される構成とするものである。
【００１４】
これにより、機器に装着後のケースの高さ寸法が小さく、操作がスムーズで接触信頼性の高い押圧・回転操作型電子部品を得ることができる。
【００１５】
【発明の実施の形態】
以下、本発明の実施の形態について図面を用いて説明する。
【００１６】
（実施の形態１）
図１は本発明の第１の実施の形態による押圧・回転操作型電子部品としてのプッシュオンスイッチ付回転型エンコーダの外観斜視図、図２は同回転中心軸を通る垂直面における断面図、図３は同分解斜視図である。
【００１７】
同図に示すように、本プッシュオンスイッチ付回転型エンコーダは、上面に押圧操作型部品部としてのプッシュオンスイッチ部３１を備えた基台部３２と、基台部３２に回動可能に支持された回動体３３と、この回動体３３により回転可能に支持された操作部としての円柱状操作つまみ３４と、円柱状操作つまみ３４の端面に保持された回転接点板３５に対して基台部３２に固定された弾性接点脚３６Ａ，３６Ｂが弾接することにより構成される回転操作部品部としての回転型エンコーダ部３７からなるものである。
【００１８】
そして、基台部３２は樹脂製の平板状で、その一方の側部の略中点位置の円形窪み内に一対の固定接点３１Ａ，３１Ｂが上面に露出するようにインサート成形固定され、固定接点３１Ａ，３１Ｂそれぞれと導通した接続用端子３１Ｃ，３１Ｄが側方下面に導出されると共に、固定接点３１Ａ上に円形皿状の弾性可動接点３１Ｅが載せられ、さらにその上面を可撓性フィルム３１Ｆで覆うことによりプッシュオンスイッチ部３１が形成されており、また他方の側部の両端に、対向した一対の円形支持孔３２Ａ，３２Ｂを有している。
【００１９】
また、回動体３３は金属製四角形状の枠体で、その一側部両端の突部３３Ａ，３３Ｂを上記基台部３２の一対の円形支持孔３２Ａ，３２Ｂにより回動可能に支持されており、基台部３２から伸ばされて横枠３３Ｃに係合した爪部３２Ｃがその上限位置を規制すると共に、支持側と対向した横枠３３Ｃに並べて設けられた弾性アーム３３Ｄ下面の突起３３Ｅが上記プッシュオンスイッチ部３１の上部に当接することにより、通常状態において回動体３３を回動可能範囲の上限位置に保っており、この位置から下方へ回動することによってプッシュオンスイッチ部３１を動作させるように構成されている。
【００２０】
また、回動体３３の枠体の内側には、外周操作部３４Ａの幅が上記一対の円形支持孔３２Ａ，３２Ｂの間隔よりも狭い円柱状操作つまみ３４が、回動体３３の回動軸である二つの突部３３Ａ，３３Ｂを結ぶ線と平行な回転軸を中心として回転可能なように、保持されている。
【００２１】
この円柱状操作つまみ３４は、図２に示すように、その一方の端面に設けられた窪み３４Ｂの外周に圧入固着された回転接点板３５の中心の丸小孔３５Ａ、および他方の端面の中心の丸孔３４Ｃに対して、回動体３３の縦枠３３Ｆに重ねて固定された金属製の覆い板３８から突出した細径支持軸３８Ａ、および縦枠３３Ｆに平行な縦枠３３Ｇから細径支持軸３８Ａと対向するように同一軸線上に突出した支持軸３３Ｈを、それぞれ挿入嵌合させることによって回転可能に支持されている。
【００２２】
そして、上記の回転接点板３５は、図４のエンコーダ接点部の概念図に示すように、その外側面にコモン接点である中心接点部３９Ａおよびこれから外方に放射状に所定の角度ピッチで設けられた複数個の放射状接点部３９Ｂを有していると共に、その裏面である内側面には放射状接点部３９Ｂに対応した角度ピッチで放射状凹凸部４０が設けられており、外側面には上記の基台部３２に固定された接点基板３６にインサート成形により保持された二つの接点体３６Ｃ，３６Ｄの弾性接点脚３６Ａ，３６Ｂが弾接し、それぞれと導通した接続用端子３６Ｅ，３６Ｆが下方に導出されていると共に、内側面には、上記の円柱状操作つまみ３４の窪み３４Ｂ内において、上記細径支持軸３８Ａの先端に固定された弾性金属薄板からなる板ばね４１の弾性ダボ４１Ａが弾接している。
【００２３】
このような回転接点板３５を円柱状操作つまみ３４を介して回転させることによって、弾性接点脚３６Ａ，３６Ｂが中心接点部３９Ａ、放射状接点部３９Ｂ上を、弾性ダボ４１Ａが放射状凹凸部４０上をそれぞれ弾接摺動して、節度感を伴いながら接続用端子３６Ｅ，３６Ｆ間に電気信号（パルス信号）を発生する回転型エンコーダ部３７が構成されている。
【００２４】
ここで、回転接点板３５の外側面に弾性接点脚３６Ａ，３６Ｂが弾接する位置は、図５の本実施の形態によるプッシュオンスイッチ付回転型エンコーダの部分断面の側面図に示すように、回転接点板３５の中心と回動体３３の回動運動の回動軸である円形支持孔３２Ａ，３２Ｂの中心とを結ぶ線上で両者の間にあり、回転接点板３５の内側面に弾接する板ばね４１の弾性ダボ４１Ａが放射状凹凸部４０の凹部４０Ａにはまり込んだ回転位置にある時に、弾性接点脚３６Ｂは放射状接点部３９Ｂに弾接しないＯＦＦ位置である絶縁部にあるように設定されている。
【００２５】
また、上記の接点基板３６に接点体３６Ｃ，３６Ｄと並べてインサート成形固定された４２はアース用接点体で、その弾性接点脚４２Ａを金属製の覆い板３８に弾接させ、下方に導出された接続用端子４２Ｂを使用機器のアース回路に接続するものである。
【００２６】
本実施の形態によるプッシュオンスイッチ付回転型エンコーダは以上のように構成されるものであり、次にその動作について説明する。
【００２７】
まず、図１および図５において、円柱状操作つまみ３４の外周操作部３４Ａの上端部分に接線方向（図１および図５に示す矢印Ｈ方向）の力を加えて回転させることによって、この円柱状操作つまみ３４に固着されている回転接点板３５が細径支持軸３８Ａを中心として回転し（図２参照）、その外側面の中心接点部３９Ａおよび放射状接点部３９Ｂ上を基台部３２に固定された弾性接点脚３６Ａ上および３６Ｂが弾接摺動して回転型エンコーダ部３７としての電気信号（パルス信号）を発生すると共に、回転接点板３５の内側面の放射状凹凸部４０上を板ばね４１の弾性ダボ４１Ａが弾接摺動して電気信号の発生に合わせた節度感を発生し、円柱状操作つまみ３４の回転が止まると、放射状凹凸部４０の凹部４０Ａ内にはまり込み、弾性接点脚３６Ｂは放射状接点部３９Ｂに弾接しないＯＦＦ位置である絶縁部で停止する。
【００２８】
そして、発生した電気信号は、接続用端子３６Ｅ，３６Ｆを経て使用機器の回路に伝達されるものである。
【００２９】
なお、この円柱状操作つまみ３４の外周操作部３４Ａの上端部分に接点方向の力を加えて回転型エンコーダ部３７を動作させる際に、円柱状操作つまみ３４の上端部分を下方に押す力も加わるが、円柱状操作つまみ３４を支持する回転体３３の弾性アーム３３Ｄが当接するプッシュオンスイッチ部３１の皿状の弾性可動接点３１Ｅの弾性反転動作力を、この時に加わる押し力よりも大きく設定しておくことにより、回転型エンコーダ部３７の回転操作時にプッシュオンスイッチ部３１が誤動作することはない。
【００３０】
また、円柱状操作つまみ３４の外周操作部３４Ａに接線方向の力を加える位置は、必ずしも円柱状操作つまみ３４の外周操作部３４Ａの幅方向の中央の上端部分である必要はなく、左または右方向に偏った位置であっても円柱状操作つまみ３４は同様に円滑に回転し、回転操作型エンコーダ部３７を良好に操作することができると共に、この時、円柱状操作つまみ３４の外周操作部３４Ａに操作する人の手・指が触れることにより発生する静電気は、金属製の回動体３３および覆い板３８からアース用接点体４２の弾性接点脚４２Ａおよび接続用端子４２Ｂを経て使用機器のアース回路に流れるので、使用機器の回路に影響を及ぼすことはない。
【００３１】
次に、図１、図２および図５において、円柱状操作つまみ３４の外周操作部３４Ａの上端部分に垂直下方（矢印Ｖ方向）の押し力を加えて円柱状操作つまみ３４を押し下げると、図６のプッシュオンスイッチ部の動作状態を説明する部分断面の側面図に示すように、円柱状操作つまみ３４を保持している回動体３３が突部３３Ａ，３３Ｂを結ぶ回動軸を中心として回動する。
【００３２】
これに伴い、回動体３３の弾性アーム３３Ｄ下面の突起３３Ｅが、基台部３２上面のプッシュオンスイッチ部３１の可撓性フィルム３１Ｆを介し、固定接点３１Ａ上の皿状の弾性可動接点３１Ｅの中央部を下方に押して弾性可動接点３１Ｅを弾性反転動作させ、その中央下面が固定接点３１Ｂに接触することにより固定接点３１Ａと３１Ｂの間を短絡してプッシュオンスイッチ部３１をＯＮ状態とし、その信号は接続用端子３１Ｃ，３１Ｄを経て使用機器の回路に伝達される。
【００３３】
この後、円柱状操作つまみ３４に加えていた押し力を除くと、プッシュオンスイッチ部３１の弾性可動接点３１Ｅの弾性復元力によって弾性アーム３３Ｄすなわち回動体３３を元の図５に示す状態に押し戻し、プッシュオンスイッチ部３１もＯＦＦ状態に戻る。
【００３４】
ここで、このプッシュオンスイッチ部３１を操作する際に、円柱状操作つまみ３４の外周操作部３４Ａに押し力を加える位置は、必ずしも、円柱状操作つまみ３４の外周操作部３４Ａの幅方向の中央の上端部分である必要はなく、左または右方向に偏った位置であっても、前述のように、円柱状操作つまみ３４の外周操作部３４Ａの幅は、回動体３３を回動可能に支持する基台部３２の一対の円形支持孔３２Ａ，３２Ｂの間隔よりも狭いので、回動体３３をスムーズに回動させてプッシュオンスイッチ部３１を動作させることができるものである。
【００３５】
また、この円柱状操作つまみ３４に押し力を加えてプッシュオンスイッチ部３１を動作させる際に、回転型エンコーダ部３７の回転接点板３５は、前述のように、その内側面の放射状凹凸部４０の凹部４０Ａに板ばね４１の弾性ダボ４１Ａがはまり込んでいるために回転しない。
【００３６】
そして、このプッシュオンスイッチ３１部を動作させる際に、回転型エンコーダ部３７の接点である弾性接点脚３６Ａおよび３６Ｂが回転接点板３５の内側面の中心接点部３９Ａおよび放射状接点部３９Ｂに弾接する位置は少しずれるが、弾性接点脚３６Ａはコモン接点である中心接点部３９Ａに弾接しているのでその弾性位置が少し動いてもその影響はなく、また、ずれの大きさは回動体３３の回動軸である二つの突部３３Ａ，３３Ｂを結ぶ中心線から離れた部分で大きく、回動軸に近くなるほど小さくなるものであり、弾性接点脚３６Ｂは回動体３３の回動軸に最も近いためにその動きは非常に小さく、しかも前述のように、弾性接点脚３６Ｂは放射状接点部３９Ｂに弾接しないＯＦＦ位置である絶縁部に停止しているので、回転型エンコーダ部３７が誤信号を発生することはない。
【００３７】
さらに、円柱状操作つまみ３４に垂直下方への押し力を加えてプッシュオンスイッチ部３１を動作させる際に、円柱状操作つまみ３４に衝撃荷重等の大きな押し力が加えられた場合には、図７の円柱状操作つまみに大きな押し力が加わる場合の対応方法を説明する部分断面の側面図に示すように、プッシュオンスイッチ部３１の弾性可動接点３１Ｅが弾性反転変形してスイッチＯＮ状態となった後に、回動体３３の弾性アーム３３Ｄが弾性変形して所定寸法だけ撓むと、弾性アーム３３Ｄと平行した横枠３３Ｃ下面の突起３３Ｉが基台部３２の上面に当たり押し力を吸収するように構成されている。
【００３８】
したがって、プッシュオンスイッチ部３１には弾性アーム３３Ｄの弾性変形力以上の押し力は加わらないと共に、通常状態において、弾性アーム３３Ｄを少し撓めた状態にして、その下面の突起３３Ｅをプッシュオンスイッチ部３１の上端部に弾接させておくことにより、回動体３３の回動方向の遊び角による異音の発生を防止することもできるものである。
【００３９】
そして、図８は、円柱状操作つまみ３４を下方へ押圧操作する際に、プッシュオンスイッチ部３１に大きな押し力が加わらないようにする第二の対応方法を説明する部分断面の正面図であり、上記の構成における弾性アーム３３Ｄとその下面の突起３３Ｅに代えて、回動体４３の回動支持側と対向した横枠４３Ａ下面の中央に設けた孔４３Ｂに、ゴム等からなり所定寸法で所定の弾性変形力を有する弾性操作体４４を圧入し、この弾性操作体４４の先端をプッシュオンスイッチ部３１の上端部に弾接させると共に、円柱状操作つまみ３４に大きな押し力が加えられた場合において、プッシュオンスイッチ部３１がＯＮ状態となった後に弾性操作体４４が所定の寸法だけ押し縮められると、基台部３２の上面に当たって押し力を吸収する突起４３Ｃを弾性操作体４４の側方に設けるものであり、上記の構成よりも小形化できて同様の効果を得ることができる。
【００４０】
さらに、図９および図１０は、円柱状操作つまみに大きな押し力が加わる場合の第三および第四の対応方法を説明する部分断面の側面図であり、上記の二つの構成に対して、それぞれ基台部３２と回動体３３または４３の間に両者を離間する方向に付勢するばね体４５または４６を追加すると共に、回動体３３の回動可能範囲の上限位置において、弾性アーム３３Ｄ下面の突起３３Ｅの先端または弾性操作体４４の先端と、プッシュオンスイッチ部３１の上端部である可撓性フィルム３１Ｆとの間にギャップを設けたものである。
【００４１】
これにより、本プッシュオンスイッチ付回転型エンコーダの円柱状操作つまみ３４の押圧操作力をプッシュオンスイッチ部３１の弾性可動接点３１Ｅの弾性反転動作力よりも大きい値に設定できると共に、円柱状操作つまみ３４の押圧操作において、プッシュオンスイッチ部３１の弾性可動接点３１Ｅが押されるまでの間にプリストロークを設けることができるので、円柱状操作つまみ３４の回転操作時等に誤ってプッシュオンスイッチ部３１を動作させてしまうことが少なくなり、回動体３３の遊び角による異音の発生も防止することができるものである。
【００４２】
以上のように本実施の形態によれば、円柱状の大きな操作部を有し、しかもこの押圧・回転操作型電子部品を装着後の機器のケースの高さ寸法を小さくすることができると共に、円柱状操作つまみの押圧操作時に回動体が一側部の支持部を中心として回動するので押圧操作型部品部をスムーズに操作することができ、さらに弾性接点および接触接点部が少ないため、安価で接触信頼性も高い押圧・回転操作型電子部品を実現できるものである。
【００４３】
（実施の形態２）
図１１は本発明の第２の実施の形態による押圧・回転操作型電子部品としてのプッシュオンスイッチ付回転型エンコーダの部分断面の側面図であり、上記第１の実施の形態によるプッシュオンスイッチ付回転型エンコーダに対して、回転型エンコーダ部４７の回転接点板３５に弾性接点脚４８Ａ，４８Ｂが弾接する位置を変えたものであり、これ以外は上記第１の実施の形態によるプッシュオンスイッチ付回転型エンコーダと同じであるので、上記第１の実施の形態によるものと同一の部分には同一符号を付して説明を省略し、異なる点について詳細に説明する。
【００４４】
すなわち、図１１において、回転型エンコーダ部４７の回転接点板３５に弾性接点脚４８Ａ，４８Ｂが弾接する位置が、回転接点板３５の中心を通り、回転接点板３５の中心と回動体３３の回動運動の中心である回動軸を結ぶ線の垂線上にある点が異なっており、回転接点板３５の内側面に弾接する板ばね４１の弾性ダボ４１Ａが放射状凹凸部４０の凹部４０Ａにはまり込んだ回転位置にある時（図１１に示さず）、弾性接点脚４８Ｂは放射状接点部３９Ｂに弾接しないＯＦＦ位置である絶縁部にあること等は実施の形態１の場合と同じである。
【００４５】
そして、このような構成のプッシュオンスイッチ付回転型エンコーダにおいて、円柱状操作つまみ３４を押圧操作してプッシュオンスイッチ部３１を動作させる際に、回動体３３の回動運動に伴って、回転型エンコーダ部４７の接点である弾性接点脚４８Ａ，４８Ｂが回転接点板３５の中心接点部３９Ａおよび放射状接点部３９Ｂに弾接する位置が少しずれるが、上記のように配設された弾性接点脚４８Ａ，４８Ｂの弾接位置のずれる方向は、回転接点板３５の中心と回動体３３の回動運動の中心である回動軸を結ぶ線に対して垂直な半径方向であるので、回転接点板３５の各接点の半径方向の寸法余裕を大きくしておくこと、すなわち回転接点板３５の半径を所定の値以上に大きくしておくことによって、このずれの影響をなくすことができるものである。
【００４６】
【発明の効果】
以上のように本発明による押圧・回転操作型電子部品は、円柱状に形成され、その一方の側方端面に回転接点板が共回り可能に固着され、上記円柱状の外周面を操作されて回転操作される操作つまみと、この円柱状操作つまみを内部に収容する大きさの四角形状の枠体によって構成され、上記円柱状操作つまみの両側の側方端面に応じて位置する平行な縦枠部分に、内側方向に向かって突出する細径支持軸および支持軸を有し、上記細径支持軸が上記円柱状操作つまみの一方の側方端面に固着された上記回転接点板の中心の丸小孔に、また上記支持軸が上記円柱状操作つまみの他方の側方端面の中心位置に設けられた丸孔に同一軸線上で挿入嵌合されることによって上記円柱状操作つまみを両側の側方端面の外側から回転可能に支持する回動体と、上記回動体の縦枠部分の外面側に位置された壁部の円形支持孔に、上記回動体の縦枠部分の外面側に外方に向けてそれぞれ突出形成された突部が係合されて上記円柱状操作つまみと回動体を一体状態で回動可能に支持すると共に、上記回動体の支持部から離れた位置に、回動体の回動時にこの回動体に設けられた弾性を有する操作部位で押圧動作される押圧操作型部品部が配設された基台部と、この基台部に固定され、一端が上記回転接点板に弾接して電気信号を発生させる弾性接点脚で他端が発生した電気信号を外部に導出する端子となった接点体からなり、上記回動体の回動に伴い上記弾性を有する操作部位で上記押圧操作型部品部が押圧され、その押圧操作型部品部の動作後に上記回動体に設けた突起が上記基台部の上面に当接して停止される構成のものとしている。これによれば、円柱状の大きな操作部を有し、しかもこの押圧・回転操作型電子部品を装着後の機器のケースの高さ寸法を小さくすることができると共に、操作がスムーズで、さらに弾性接点および接触接点部が少ないため、安価で接触信頼性も高い押圧・回転操作型電子部品を実現することができるという有利な効果が得られる。
【図面の簡単な説明】
【図１】  本発明の第１の実施の形態による押圧・回転操作型電子部品としてのプッシュオンスイッチ付回転型エンコーダの外観斜視図
【図２】  同回転中心軸を通る垂直面における断面図
【図３】  同分解斜視図
【図４】  同エンコーダ接点部の概念図
【図５】  同部分断面の側面図
【図６】  同プッシュオンスイッチ部の動作状態を説明する部分断面の側面図
【図７】  同円柱状操作つまみに大きな押し力が加わる場合の対応方法を説明する部分断面の側面図
【図８】  同円柱状操作つまみに大きな押し力が加わる場合の第二の対応方法を説明する部分断面の正面図
【図９】  同円柱状操作つまみに大きな押し力が加わる場合の第三の対応方法を説明する部分断面の側面図
【図１０】  同円柱状操作つまみに大きな押し力が加わる場合の第四の対応方法を説明する部分断面の側面図
【図１１】  本発明の第２の実施の形態による押圧・回転操作型電子部品としてのプッシュオンスイッチ付回転型エンコーダの部分断面の側面図
【図１２】  従来の押圧・回転操作型電子部品としてのプッシュオンスイッチ付回転型エンコーダの外観斜視図
【図１３】  同側面断面図
【図１４】  同要部である接点付基板の外観斜視図
【図１５】  同プッシュオンスイッチ付回転型エンコーダを装着した機器の部分断面図
【符号の説明】
３１  プッシュオンスイッチ部
３１Ａ，３１Ｂ  固定接点
３１Ｃ，３１Ｄ  接続用端子
３１Ｅ  弾性可動接点
３１Ｆ  可撓性フィルム
３２  基台部
３２Ａ，３２Ｂ  円形支持孔
３２Ｃ  爪部
３３，４３  回動体
３３Ａ，３３Ｂ  突部
３３Ｃ，４３Ａ  横枠
３３Ｄ  弾性アーム
３３Ｅ，３３Ｉ，４３Ｃ  突起
３３Ｆ，３３Ｇ  縦枠
３３Ｈ  支持軸
３４  円柱状操作つまみ
３４Ａ  外周操作部
３４Ｂ  窪み
３４Ｃ  丸孔
３５  回転接点板
３５Ａ  丸小孔
３６  接点基板
３６Ａ，３６Ｂ，４２Ａ，４８Ａ，４８Ｂ  弾性接点脚
３６Ｃ，３６Ｄ  接点体
３６Ｅ，３６Ｆ，４２Ｂ  接続用端子
３７，４７  回転型エンコーダ部
３８  覆い板
３８Ａ  細径支持軸
３９Ａ  中心接点部
３９Ｂ  放射状接点部
４０  放射状凹凸部
４０Ａ  凹部
４１  板ばね
４１Ａ  弾性ダボ
４２  アース用接点体
４３Ｂ  孔
４４  弾性操作体
４５，４６  ばね体
【図１】
0004055281.tif 000002
【図２】
0004055281.tif 000003
【図３】
0004055281.tif 000004
【図４】
0004055281.tif 000005
【図５】
0004055281.tif 000006
【図６】
0004055281.tif 000007
【図７】
0004055281.tif 000008
【図８】
0004055281.tif 000009
【図９】
0004055281.tif 000010
【図１０】
0004055281.tif 000011
【図１１】
0004055281.tif 000012
【図１２】
0004055281.tif 000013
【図１３】
0004055281.tif 000014
【図１４】
0004055281.tif 000015
【図１５】
0004055281.tif 000016